(57)【要約】【課題】製造に係るコストを抑えるとともに、離れた場所にあるオーディオ装置等の表示画面を容易に視認し得る表示装置を提供する。【解決手段】本体に装着された本体操作部１２及び／又はリモコン装置２０からの操作信号に基づいて、情報を表示部１１上に表示する表示装置において、入力される操作信号が本体操作部１２からの操作信号か又はリモコン装置２０からの操作信号かを判断し、その判断の結果、入力操作信号がリモコン装置２０からの操作信号である場合に、本体操作部１２からの操作信号の場合よりも前記表示部１１に表示される情報の表示サイズを大きくして表示部１１に表示させる制御部１３を備えた表示装置とする。【選択図】図２
2009141869.tif 000002
【特許請求の範囲】
【請求項１】
本体に装着された本体操作手段及び／又はリモコン装置からの操作信号に基づき、情報を表示部上に表示する表示装置において、
入力される操作信号が前記本体操作手段からの操作信号か又は前記リモコン装置からの操作信号かを判断し、その判断の結果、入力操作信号が前記リモコン装置からの操作信号である場合に、前記本体操作手段からの操作信号の場合よりも前記表示部に表示される情報の表示サイズを大きくして前記表示部に表示させる制御手段を備えることを特徴とした表示装置。
【請求項２】
前記表示部に表示される情報は、文字、記号、符号又は図形のいずれかを含み、前記表示部に表示される情報の表示サイズは文字、記号、符号又は図形の大きさであることを特徴とする請求項１に記載の表示装置。
【請求項３】
前記制御手段は、前記リモコン装置からの操作信号に応じた情報を前記本体操作手段からの操作信号に応じた情報と異なる態様で、前記表示手段に表示させる請求項１又は２に記載の表示装置。
【請求項４】
前記制御手段は、前記入力操作信号が前記リモコン装置からの操作信号である場合であって、前記表示部に表示される情報に文字が含まれる場合、当該文字のフォントを変更して前記表示部に表示させる請求項１〜３の何れか一項に記載の表示装置。
【請求項５】
本体に装着された本体操作手段及び／又はリモコン装置からの操作信号に基づき、情報を表示部上に表示する表示方法において、
入力される操作信号が前記本体操作手段からの操作信号か又は前記リモコン装置からの操作信号かを判断し、その判断の結果、入力操作信号が前記リモコン装置からの操作信号である場合に、前記本体操作手段からの操作信号の場合よりも前記表示部に表示される情報の表示サイズを大きくして前記表示部に表示させる工程を含むことを特徴とした表示方法。
【請求項６】
本体に装着された本体操作手段及び／又はリモコン装置からの操作信号に基づき、情報を表示部上に表示する表示装置のコンピュータに搭載されるプログラムであって、
前記コンピュータを
入力される操作信号が前記本体操作手段からの操作信号か又は前記リモコン装置からの操作信号かを判断し、その判断の結果、入力操作信号が前記リモコン装置からの操作信号である場合に、前記本体操作手段からの操作信号の場合よりも前記表示部に表示される情報の表示サイズを大きくして前記表示部に表示させる制御手段として機能させるためのプログラム。
【発明の詳細な説明】
【技術分野】
【０００１】
本発明は、表示装置、表示方法及びプログラムに関する。
【背景技術】
【０００２】
オーディオ装置には、通常リモコン装置が付属されており、ユーザはこのリモコン装置によりオーディオ装置を遠隔操作することができる。
【０００３】
リモコン装置による遠隔操作の内容としては、例えば音楽の再生操作や再生メディアの切り替え操作、オーディオ装置の電源ＯＮ／ＯＦＦ操作等がある。これらの操作が行われる際に、オーディオ装置に付属の表示部にはその内容が表示される。
【０００４】
ここで、リモコン装置はオーディオ装置から離れた場所で用いられることを目的とするものであり、実際そのように用いられる場合が多い。よって、ユーザは、オーディオ装置から離れた場所にいる場合であっても、オーディオ装置で表示される表示画面の内容について、容易に視認できることが望ましい。
【０００５】
特許文献１によれば、表示部を備えたリモコン装置及びオーディオシステムが開示されている。このリモコン装置及びオーディオシステムによれば、オーディオ装置の表示画面で表示される情報をリモコン装置が受信することができる。そして、リモコン装置に付属の表示部で受信した情報を表示することができる。
これにより、ユーザがオーディオ装置から離れた場所にいる場合であっても、オーディオ装置が表示する小さい文字やアイコンを手元のリモコン装置で容易に視認することが可能となる。
【特許文献１】特開２００１−２１８２８３号公報
【発明の開示】
【発明が解決しようとする課題】
【０００６】
しかし、リモコン装置に表示部を備えさせることで、その分の製造に係るコストが必要となる。また、表示部を備えないリモコン装置では、特許文献１に記載の技術を適用することはできない。
【０００７】
本発明の目的は、製造に係るコストを抑えるとともに、離れた場所にあるオーディオ装置等の表示画面を容易に視認し得る表示装置を提供することである。
【課題を解決するための手段】
【０００８】
請求項１に記載の発明によれば、
本体に装着された本体操作手段及び／又はリモコン装置からの操作信号に基づき、情報を表示部上に表示する表示装置において、
入力される操作信号が前記本体操作手段からの操作信号か又は前記リモコン装置からの操作信号かを判断し、その判断の結果、入力操作信号が前記リモコン装置からの操作信号である場合に、前記本体操作手段からの操作信号の場合よりも前記表示部に表示される情報の表示サイズを大きくして前記表示部に表示させる制御手段を備えることを特徴とした表示装置が提供される。
【０００９】
請求項２に記載の発明によれば、請求項１に記載の発明において、
前記表示部に表示される情報は、文字、記号、符号又は図形のいずれかを含み、前記表示部に表示される情報の表示サイズは文字、記号、符号又は図形の大きさであることを特徴とする表示装置が提供される。
【００１０】
請求項３に記載の発明によれば、請求項１又は２に記載の発明において、
前記制御手段は、前記リモコン装置からの操作信号に応じた情報を前記本体操作手段からの操作信号に応じた情報と異なる態様で、前記表示手段に表示させる表示装置が提供される。
【００１１】
請求項４に記載の発明によれば、請求項１〜３の何れか一項に記載の発明において、
前記制御手段は、前記入力操作信号が前記リモコン装置からの操作信号である場合であって、前記表示部に表示される情報に文字が含まれる場合、当該文字のフォントを変更して前記表示部に表示させる表示装置が提供される。
【００１２】
請求項５に記載の発明によれば、
本体に装着された本体操作手段及び／又はリモコン装置からの操作信号に基づき、情報を表示部上に表示する表示方法において、
入力される操作信号が前記本体操作手段からの操作信号か又は前記リモコン装置からの操作信号かを判断し、その判断の結果、入力操作信号が前記リモコン装置からの操作信号である場合に、前記本体操作手段からの操作信号の場合よりも前記表示部に表示される情報の表示サイズを大きくして前記表示部に表示させる工程を含むことを特徴とした表示方法が提供される。
【００１３】
請求項６に記載の発明によれば、
本体に装着された本体操作手段及び／又はリモコン装置からの操作信号に基づき、情報を表示部上に表示する表示装置のコンピュータに搭載されるプログラムであって、
前記コンピュータを
入力される操作信号が前記本体操作手段からの操作信号か又は前記リモコン装置からの操作信号かを判断し、その判断の結果、入力操作信号が前記リモコン装置からの操作信号である場合に、前記本体操作手段からの操作信号の場合よりも前記表示部に表示される情報の表示サイズを大きくして前記表示部に表示させる制御手段として機能させるためのプログラムが提供される。
【発明の効果】
【００１４】
本発明によれば、リモコン装置で遠隔操作した場合、オーディオ装置等の表示画面には本体で操作した場合よりも拡大された表示画像が表示部に表示される。
これにより、ユーザはオーディオ装置が離れた場所にある場合であっても表示画面の内容を容易に視認することができる。また、リモコン装置に表示画面を付属させる必要は無いため、コストを抑えつつ上述の効果を得ることが可能となる。
【発明を実施するための最良の形態】
【００１５】
以下、本実施形態における表示装置の最適な構成及び動作について、図面を用いて詳細に説明する。なお、本実施形態において、表示装置としてオーディオ装置を一例に挙げて説明しているがこれに限られず、ビデオ装置等であってもよい。つまり、表示部を有し、かつ、遠隔操作が可能な表示装置を有する機器であればよい。
【００１６】
まず図１に、本実施形態におけるオーディオシステム１００の全体構成図を示す。
オーディオシステム１００は、オーディオ装置１０及びリモコン装置２０により構成される。
【００１７】
オーディオ装置１０は、表示部１１、本体操作部１２等を備えて構成される。また、リモコン装置２０は、遠隔操作部２１等を備えて構成される。
【００１８】
オーディオ装置１０は、リモコン装置２０からの遠隔操作信号により、遠隔操作信号に基づいて、情報を表示部１１に表示する。ここで、表示部１１に表示される情報とは、例えば作曲家の名称や楽曲の名称等の情報である。
【００１９】
また、オーディオ装置１０は、リモコン装置２０からの遠隔操作信号に従って、各種処理を実行する。各種処理としては、例えば楽曲の再生処理、メディアの切り替え処理、電源ＯＮ／ＯＦＦの切り替え処理等が挙げられる。
【００２０】
このように、オーディオ装置１０は、リモコン装置２０からの遠隔操作信号に基づいて、情報を表示部１１に表示し、遠隔操作信号に応じた各種処理を実行する。
なお、本体操作部１２からの本体操作信号によっても、遠隔操作信号と同様の内容を表示部１１に表示し、各種処理を行うことが可能である。
【００２１】
次に、図２を参照して、本実施形態におけるオーディオ装置１０の機能ブロック図について説明する。
オーディオ装置１０は、表示部１１、本体操作部１２、制御部１３、受光部１４を備えて構成される。
【００２２】
表示部１１は、ＬＣＤ（Liquid Crystal Display）及びドライバ等を備えて構成される（図示省略）。なお、高輝度で表示可能な有機ＥＬ（Electro Luminescence）ディスプレイであってもよい。
表示部１１は、本体操作信号又は遠隔操作信号に基づいて、情報を表示する。
【００２３】
本体操作部１２は、表示部１１により表示された各種情報を選択するための操作キー群を備えて構成される（図示省略）。
本体操作部１２は、ユーザにより操作キーが押下されると、操作キーに応じた本体操作信号を生成してこれを後述する制御部１３に出力する。
【００２４】
制御部１３は、受信した本体操作信号に基づいて、情報を表示部１１に表示し、本体操作信号に応じた各種処理を実行する。なお、表示部１１に表示する内容としては、上述したように作曲家の名称等であり、実行する各種処理としては楽曲の再生処理等である。
【００２５】
また、制御部１３は、後述する受光部１４から遠隔操作信号を受信すると、遠隔操作信号に基づいて、情報を表示部１１に表示し、遠隔操作信号に応じた各種処理を実行する。
ここで、制御部１３は、遠隔操作信号により行う表示及び各種処理のうち、表示に関する処理については本体操作信号による処理とは異なる処理を行う。
【００２６】
具体的には、制御部１３は、遠隔操作信号に基づいて、情報を表示部１１に表示させる際、文字又はアイコンを拡大させて表示させる処理を行う。この際の処理及び表示態様については図３、図４で後述する。
【００２７】
受光部１４は、リモコン装置２０からの赤外線信号（遠隔操作信号）を受信する。そして、受信した遠隔操作信号を増幅、復調し、更に波形整形、誤り訂正等の各種処理を施した後、制御部１３に出力する。
【００２８】
リモコン装置２０は、遠隔操作部２１、発光部２２等を備えて構成される。
遠隔操作部２１は、表示部１１により選択可能に表示された各種情報を選択するための操作キー群を備えて構成される（図示省略）。
遠隔操作部２１は、ユーザにより操作キーが押下されると、操作キーに応じた遠隔操作信号を生成してこれを発光部２２に出力する。
【００２９】
発光部２２は、赤外線ＬＥＤ（Light Emitting Diode）等により構成され、遠隔操作信号をオーディオ装置１０の受光部１４に出力する。
【００３０】
次に、図３を参照して、本実施形態におけるオーディオ装置１０の動作について説明する。なお、以下に説明する動作は、制御部１３と図示しない記憶部に記憶されている各種プログラムとの協働により行われる。
【００３１】
まず、制御部１３は、操作信号又は遠隔操作信号を受信するまで待機し（ステップＳ１；ＮＯ）、受信した場合に次の処理へと移行する（ステップＳ１；ＹＥＳ）。
【００３２】
制御部１３は、受信した信号が遠隔操作信号か否かについて判断する（ステップＳ２）。
受信した信号が遠隔操作信号である場合（ステップＳ２；ＹＥＳ）、制御部１３は、表示部１１の現時点における表示モードについて、遠隔操作モードであるか否か判断する（ステップＳ３）。
【００３３】
ここで、表示モードには、遠隔操作モードと本体操作モードとがある。制御部１３は、表示部１１に表示される文字やアイコンのサイズを本体操作モードよりも遠隔操作モードでは拡大して表示する。また、文字やアイコンに限らず、表示画像を拡大して表示することとしてもよい。
図３に示す処理において、制御部１３は、受信した信号によって表示モードを切り替えて、遠隔操作信号又は本体操作信号の何れかに基づいて、情報を表示部１１に表示させる処理を行うこととなる。
【００３４】
遠隔操作信号を受信した場合であって、表示モードが遠隔操作モードでない場合（ステップＳ３；ＮＯ）、制御部１３は本体操作モードを遠隔操作モードに切り替える（ステップＳ４）。
【００３５】
制御部１３は、表示モードを遠隔操作モードに切り替えた後、遠隔操作信号に基づいて、情報を表示部１１に表示し、又は遠隔操作信号に応じた処理を実行して（ステップＳ５）、本処理を終了する。
【００３６】
ステップＳ２に戻り、制御部１３の受信した信号が遠隔操作信号でない場合（ステップＳ２；ＮＯ）、制御部１３は、表示部１１の現時点における表示モードについて、本体操作モードであるか否か判断する（ステップＳ６）。
【００３７】
遠隔操作信号を受信した場合でなく、表示モードが本体操作モードでない場合（ステップＳ６；ＮＯ）、制御部１３は遠隔操作モードを本体操作モードに切り替える（ステップＳ７）。
【００３８】
制御部１３は、表示モードを本体操作モードに切り替えた後、本体操作信号に基づいて、情報を表示部１１に表示し又は本体操作信号に応じた処理を実行して（ステップＳ５）、本処理を終了する。
【００３９】
図４Ａ〜Ｃに、本体操作部１２又は遠隔操作部２１の操作により表示部１１に表示される表示画面の一例を示す。
【００４０】
図４Ａに、遠隔操作部２１の操作により表示される表示画面Ｄ１を示す。また、図４Ｂに、本体操作部１２の操作により表示される表示画面Ｄ２を示す。
表示画面Ｄ１に表示される文字やアイコンは、表示画面Ｄ２よりも拡大されて表示される。
また、図４Ｃに、遠隔操作部２１の操作により表示される表示画面Ｄ３を示す。表示画面Ｄ３は、表示画面Ｄ１の表示態様を切り替えた場合の画面例である。
【００４１】
このように、制御部１３は、遠隔操作部２１から遠隔操作信号を受信した場合、遠隔操作信号に基づいて、表示画面Ｄ１又はＤ３に示すような態様で情報を表示部１１に表示させる。
【００４２】
一方、制御部１３は、本体操作部１２から本体操作信号を受信した場合、本体操作信号に基づいて、表示画面Ｄ２に示すような態様で情報を表示部１１に表示させることとなる。
【００４３】
以上のように、本実施形態によれば、リモコン装置２０からの遠隔操作信号を受信した場合、表示画像のサイズを拡大させて遠隔操作信号に基づいて、情報を表示部１１に表示させる。これにより、ユーザはオーディオ装置１０から離れた場所にいる場合であっても、表示部１１に表示された内容を容易に視認することができる。
【００４４】
また、遠隔操作信号に基づいて表示部１１に表示する情報が、文字、記号、符号又は図形、アイコン等である場合、これらを拡大させて表示部１１に表示させることができる。これにより、ユーザの視認性を向上させることができる。
【００４５】
また、画像や文字、アイコン等を拡大させて表示部１１に表示させるだけでなく、ユーザの好みの表示態様に切り替えて表示させることとしてもよい。この場合、ユーザは、操作しやすい態様で拡大表示された画像や文字、アイコン等を離れた場所から視認することができる。よって、操作性の向上を図ることができる。
【００４６】
また、遠隔操作信号と本体操作信号とで表示部１１に表示する文字フォントを切り替えることとしてもよい。例えば、遠隔操作信号に基づいて、情報の表示文字の太さを太くしたり、文字の周りを白抜きにして強調文字にしたりして、表示部１１に表示することとしてもよい。これにより、ユーザの視認し易い文字フォントで情報を表示部１１に表示することができる。
【図面の簡単な説明】
【００４７】
【図１】オーディオシステムの全体構成図である。
【図２】オーディオ装置の機能ブロック図である。
【図３】オーディオ装置の処理フロー図である。
【図４Ａ】表示画面の一例を示す図である。
【図４Ｂ】表示画面の一例を示す図である。
【図４Ｃ】表示画面の一例を示す図である。
【符号の説明】
【００４８】
１００  オーディオシステム
１０    オーディオ装置
２０    リモコン装置
１１    表示部
１２    本体操作部
１３    制御部
【図１】
2009141869.tif 000003
【図２】
2009141869.tif 000004
【図３】
2009141869.tif 000005
【図４Ａ】
2009141869.tif 000006
【図４Ｂ】
2009141869.tif 000007
【図４Ｃ】
2009141869.tif 000008